(57)【特許請求の範囲】
【請求項１】
電鉄用変電所に設置された機器の動作を模擬して前記電鉄用変電所の機能試験を行うことが可能な電鉄用変電所監視制御装置と、この電鉄用変電所監視制御装置とネットワークを介して接続された中央指令所と、を備えた電鉄用変電所監視制御システムであって、
前記電鉄用変電所監視制御装置は、
模擬対象の機器である模擬機器を選択して機器選択信号を出力するとともに、前記模擬機器の動作時間を設定する設定手段と、
この設定手段から送信された前記模擬機器の動作時間が設定され、模擬処理の実行を指示する制御実行信号が入力されると前記模擬機器の模擬処理を実行し前記模擬機器の動作時間後に前記模擬機器の状態信号を出力する模擬処理手段と、
前記機器選択信号により前記模擬機器を認識し、前記中央指令所から前記模擬機器に対する制御指令信号が入力されると前記模擬処理手段に前記制御実行信号を出力し、前記模擬処理手段から前記状態信号が入力されるとこの状態信号を出力する制御処理手段と、
この制御処理手段から前記状態信号が入力されるとこの状態信号を前記中央指令所に送信する入出力処理手段と、
を備え、
前記中央指令所は、予め設定された模擬設定可能時間帯に現在の時刻が属するか否かを判定し、現在の時刻が前記模擬設定可能時間帯に属しない場合には模擬試験の設定を解除する解除指令信号を出力する解除時刻判定手段を備え、
前記設定手段は、前記模擬機器が設定されると、前記機器選択信号を出力するとともに、前記模擬機器の選択状態を前記中央指令所に送信し、
前記解除時刻判定手段は、前記模擬機器の選択状態を受信すると、その受信時の時刻が前記模擬設定可能時間帯内であるかどうかを判定し、判定の結果、前記模擬設定可能時間帯外である場合は、前記解除指令信号を前記設定手段へ送信し、
前記設定手段は、前記解除指令信号を受信すると、前記制御処理手段および前記模擬処理手段へそれぞれ模擬試験の設定解除を通知する信号を出力することを特徴とする電鉄用変電所監視制御システム。
【請求項２】
前記解除時刻判定手段は、前記模擬処理手段から出力された前記状態信号が前記中央指令所にて受信されると、その受信時の時刻が前記模擬設定可能時間帯内であるかどうかを判定し、判定の結果、前記模擬設定可能時間帯外である場合は、前記解除指令信号を前記設定手段へ送信し、
前記設定手段は、前記解除指令信号を受信すると、前記制御処理手段および前記模擬処理手段へそれぞれ模擬試験の設定解除を通知する信号を出力することを特徴とする請求項１に記載の電鉄用変電所監視制御システム。
【請求項３】
前記解除時刻判定手段は、前記判定の結果、前記模擬設定可能時間帯内である場合は、前記模擬設定可能時間帯を終了するまでの残り時間を算出し、この残り時間を前記設定手段に通知することを特徴とする請求項２に記載の電鉄用変電所監視制御システム。
【請求項４】
前記設定手段は、前記残り時間を前記解除時刻判定手段から通知された後、新たな入力データがあるか否かを判定し、新たな入力データが存在する場合には、さらに前記残り時間が第１の所定時間以下であるか否かを判定し、前記残り時間が前記第１の所定時間以下である場合は、前記制御処理手段および前記模擬処理手段へそれぞれ模擬試験の設定解除を通知する信号を出力することを特徴とする請求項３に記載の電鉄用変電所監視制御システム。
【請求項５】
前記設定手段は、前記残り時間が前記第１の所定時間より大きい場合は、さらに前記残り時間が、前記第１の所定時間よりも大きい第２の所定時間以下であるか否かを判定し、前記残り時間が前記第２の所定時間以下である場合は、アラーム表示を行うためのアラーム信号を生成することを特徴とする請求項４に記載の電鉄用変電所監視制御システム。
【請求項６】
前記模擬機器は、電力の受電又は遮断を行う受電用遮断器であることを特徴とする請求項１〜５のいずれか１項に記載の電鉄用変電所監視制御システム。
【請求項７】
模擬対象の機器である模擬機器を選択して機器選択信号を出力するとともに、前記模擬機器の動作時間を設定する設定手段と、
この設定手段から送信された前記模擬機器の動作時間が設定され、模擬処理の実行を指示する制御実行信号が入力されると前記模擬機器の模擬処理を実行し前記模擬機器の動作時間後に前記模擬機器の状態信号を出力する模擬処理手段と、
前記機器選択信号により前記模擬機器を認識し、前記模擬機器に対する制御指令信号が入力されると前記模擬処理手段に前記制御実行信号を出力し、前記模擬処理手段から前記状態信号が入力されるとこの状態信号を出力する制御処理手段と、
この制御処理手段から前記状態信号が入力されるとこの状態信号を出力する入出力処理手段と、
予め設定された模擬設定可能時間帯に現在の時刻が属するか否かを判定し、現在の時刻が前記模擬設定可能時間帯に属しない場合には模擬試験の設定を解除する解除指令信号を出力する解除時刻判定手段と、
を備え、
前記設定手段は、前記模擬機器が設定されると、前記機器選択信号を出力するとともに、前記模擬機器の選択状態を前記解除時刻判定手段に送信し、
前記解除時刻判定手段は、前記模擬機器の選択状態を受信すると、その受信時の時刻が前記模擬設定可能時間帯内であるかどうかを判定し、判定の結果、前記模擬設定可能時間帯外である場合は、前記解除指令信号を前記設定手段へ送信し、
前記設定手段は、前記解除指令信号を受信すると、前記制御処理手段および前記模擬処理手段へそれぞれ模擬試験の設定解除を通知する信号を出力することを特徴とする電鉄用変電所監視制御装置。
【請求項８】
電鉄用変電所監視制御装置内の設定手段により、模擬対象の機器である模擬機器を選択するステップと、
前記設定手段が、前記電鉄用変電所監視制御装置内の制御処理手段および模擬処理手段にそれぞれ機器選択信号を出力するとともに、前記模擬機器の選択状態を中央指令所に送信するステップと、
前記中央指令所内の解除時刻判定手段が、前記模擬機器の選択状態を受信すると、その受信時の時刻が模擬設定可能時間帯内であるかどうかを判定し、判定の結果、前記模擬設定可能時間帯外である場合は、模擬試験の設定を解除する解除指令信号を前記設定手段へ送信するステップと、
前記設定手段が、前記解除指令信号を受信すると、前記制御処理手段および前記模擬処理手段へそれぞれ模擬試験の設定解除を通知する信号を出力するステップと、
を含むことを特徴とする電鉄用変電所監視制御方法。
【請求項９】
設定手段により、模擬対象の機器である模擬機器を選択するステップと、
前記設定手段が、制御処理手段および模擬処理手段にそれぞれ機器選択信号を出力するとともに、前記模擬機器の選択状態を解除時刻判定手段に送信するステップと、
前記解除時刻判定手段が、前記模擬機器の選択状態を受信すると、その受信時の時刻が模擬設定可能時間帯内であるかどうかを判定し、判定の結果、前記模擬設定可能時間帯外である場合は、模擬試験の設定を解除する解除指令信号を前記設定手段へ送信するステップと、
前記設定手段が、前記解除指令信号を受信すると、前記制御処理手段および前記模擬処理手段へそれぞれ模擬試験の設定解除を通知する信号を出力するステップと、
を含むことを特徴とする電鉄用変電所監視制御方法。
【発明の詳細な説明】
【技術分野】
【０００１】
本発明は、電鉄用変電所監視制御システム、電鉄用変電所監視制御装置、および電鉄用変電所監視制御方法に関する。
【背景技術】
【０００２】
一般に軌道の沿線に複数配置された電鉄用変電所においては、き電開始時に一斉に受電用の遮断器および断路器を投入してき電線に送電し、き電停止時には一斉に遮断器および断路器を解放して送電を停止するように電鉄用変電所監視制御装置による操作が毎日行われている。
【０００３】
また、電鉄用変電所監視制御装置には、き電線に事故が発生したときに事故電流により変電所機器が破損したり、車両に電力を供給するトロリ線が溶断したりするのを未然に防止する保護連動機能がある。すなわち、電鉄用変電所監視制御装置は、機器等に過大な電流が流れていないか、または異常な電圧がかかっていないかを監視し、このような過大な電流または異常な電圧等から機器を保護する機能を有する。さらに、電鉄用変電所監視制御装置には、車両が電鉄用変電所の近辺を通過するときに車両への電力供給系統を規定時間通りに自動的に切り替える切替個別連動機能が備えられている。
【０００４】
これらの機能は、夜間保線作業等の安全確保のために終電後のき電停止時に、受電用の遮断器が投入できない状態で模擬試験が行われている。
【０００５】
従来の電鉄用変電所監視制御装置においては、模擬試験実施時において、電鉄用変電所監視制御装置に設けられた設定手段から模擬試験に必要な各種の設定を行うことで、電鉄用変電所監視制御装置を模擬設定状態とした後に、模擬試験を行っている（例えば、特許文献１を参照）。
【先行技術文献】
【特許文献】
【０００６】
【特許文献１】特開２００６−０４２４９４号公報
【発明の概要】
【発明が解決しようとする課題】
【０００７】
き電停止時に行われる模擬試験は、保守作業として実施されるものであるが、近年の保守作業の省力化により、試験人員および試験実施時間が短縮化されつつある。また、試験人員においても、専門知識の少ない試験補助者が従事するケースが増えている。
【０００８】
模擬設定状態においては、始発前のき電開始が正常に行えないため、模擬設定状態の解除は確実に行っておく必要があるが、限られた時間において、より多くの項目の試験を実施しなければならず、模擬設定状態からの復帰をより短時間でかつ少人数で実施する必要がある。
【０００９】
しかしながら、例えば特許文献１に記載された模擬設定は、電鉄用変電所監視制御装置にケーブル等を接続せずとも実施可能となっているため、外観からは模擬設定状態かどうかの判別がつきにくくなっており、模擬設定状態からの復帰を漏らしてしまう可能性がある。
【００１０】
この発明は、上述の課題を解決するためになされたもので、模擬試験時におけるケーブル接続作業等が省略された電鉄用変電所監視制御装置においても、模擬設定状態からの復帰漏れを防止することができる電鉄用変電所監視制御システム、電鉄用変電所監視制御装置、および電鉄用変電所監視制御方法を提供することを目的とする。
【課題を解決するための手段】
【００１１】
上述した課題を解決し、目的を達成するために、本発明に係る電鉄用変電所監視制御システムは、電鉄用変電所に設置された機器の動作を模擬して前記電鉄用変電所の機能試験を行うことが可能な電鉄用変電所監視制御装置と、この電鉄用変電所監視制御装置とネットワークを介して接続された中央指令所と、を備えた電鉄用変電所監視制御システムであって、前記電鉄用変電所監視制御装置は、模擬対象の機器である模擬機器を選択して機器選択信号を出力するとともに、前記模擬機器の動作時間を設定する設定手段と、この設定手段から送信された前記模擬機器の動作時間が設定され、模擬処理の実行を指示する制御実行信号が入力されると前記模擬機器の模擬処理を実行し前記模擬機器の動作時間後に前記模擬機器の状態信号を出力する模擬処理手段と、前記機器選択信号により前記模擬機器を認識し、前記中央指令所から前記模擬機器に対する制御指令信号が入力されると前記模擬処理手段に前記制御実行信号を出力し、前記模擬処理手段から前記状態信号が入力されるとこの状態信号を出力する制御処理手段と、この制御処理手段から前記状態信号が入力されるとこの状態信号を前記中央指令所に送信する入出力処理手段と、を備え、前記中央指令所は、予め設定された模擬設定可能時間帯に現在の時刻が属するか否かを判定し、現在の時刻が前記模擬設定可能時間帯に属しない場合には模擬試験の設定を解除する解除指令信号を出力する解除時刻判定手段を備え、前記設定手段は、前記模擬機器が設定されると、前記機器選択信号を出力するとともに、前記模擬機器の選択状態を前記中央指令所に送信し、前記解除時刻判定手段は、前記模擬機器の選択状態を受信すると、その受信時の時刻が前記模擬設定可能時間帯内であるかどうかを判定し、判定の結果、前記模擬設定可能時間帯外である場合は、前記解除指令信号を前記設定手段へ送信し、前記設定手段は、前記解除指令信号を受信すると、前記制御処理手段および前記模擬処理手段へそれぞれ模擬試験の設定解除を通知する信号を出力することを特徴とする。
【発明の効果】
【００１２】
この発明によれば、模擬試験時におけるケーブル接続作業等が省略された電鉄用変電所監視制御装置においても、模擬設定状態からの復帰漏れを防止することができる、という効果を奏する。
【図面の簡単な説明】
【００１３】
【図１】図１は、実施の形態に係る電鉄用変電所監視制御システムの構成を示すブロック図である。
【図２】図２は、受電用遮断器の動作を模擬して機能試験を行う際の処理のフローチャートである。
【発明を実施するための形態】
【００１４】
以下に、本発明に係る電鉄用変電所監視制御システム、電鉄用変電所監視制御装置、および電鉄用変電所監視制御方法の実施の形態を図面に基づいて詳細に説明する。なお、この実施の形態によりこの発明が限定されるものではない。
【００１５】
実施の形態．
図１は、本実施の形態に係る電鉄用変電所監視制御システムの構成を示すブロック図である。図１では、電鉄用変電所１と中央指令所６とが示されている。電鉄用変電所１と中央指令所６はネットワーク２１で接続されている。
【００１６】
電鉄用変電所１には、受電用遮断器２、断路器３、保護装置４、および変電所内機器５が設けられており、これらの機器はそれぞれ電鉄用変電所監視制御装置７と伝送路２２により接続されている。ここで、受電用遮断器２は、投入状態または遮断状態に応じて、電力系統（図示せず）から電鉄用変電所１に電力を受電しまたは電力の受電を停止する。
【００１７】
電鉄用変電所監視制御装置７は、設定手段８、制御処理手段９、模擬処理手段１０および入出力処理手段１１を備えて構成されている。
【００１８】
設定手段８は、模擬機器の選択、模擬機器の動作時間の設定等を含めた模擬試験の設定を可能にする。模擬機器（模擬対象の機器）は、例えば受電用遮断器２である。設定手段８は、模擬機器が選択されると機器選択信号を制御処理手段９および模擬処理手段１０へそれぞれ出力する。また、設定手段８は、模擬機器の動作時間を模擬処理手段１０に送信する。また、設定手段８は、模擬試験設定を解除することができる。すなわち、設定手段８は、中央指令所６から模擬試験設定を解除する解除指令信号を受信すると、制御処理手段９および模擬処理手段１０へそれぞれ模擬試験の設定解除を通知する信号を出力する。設定手段８と制御処理手段９は伝送路２３で接続され、設定手段８と模擬処理手段１０は伝送路２４で接続されている。
【００１９】
制御処理手段９は、設定手段８から伝送された機器選択信号により、模擬機器を認識する。また、制御処理手段９は、中央指令所６から模擬機器に対する機器制御指令信号が入力されると、模擬処理手段１０に模擬処理の実行を指示する制御実行信号を出力する。
【００２０】
模擬処理手段１０は、設定手段８から送信された模擬機器の動作時間が設定され、制御処理手段９から制御実行信号が入力されると、模擬処理を実行し、模擬機器の動作時間後に状態信号を制御処理手段９に出力する。そして、制御処理手段９は、模擬処理手段１０から状態信号が入力されると、この状態信号を入出力処理手段１１に出力する。
【００２１】
入出力処理手段１１は、状態信号が入力されるとこの状態信号を、ネットワーク２１を介して中央指令所６に送信する。
【００２２】
中央指令所６は、機器制御指令信号を出力するなどの制御指令を行う。また、本実施の形態では、中央指令所６には、解除時刻判定手段１３が設けられている。解除時刻判定手段１３は、予め設定された模擬設定可能時間帯のデータを有し、現在の時刻が模擬設定可能時間帯に属するか否かを判定し、模擬設定可能時間帯外であると判定した場合は、模擬試験設定を解除する解除指令信号を設定手段８に送信する。ここで、模擬設定可能時間帯は、終電後で、かつ、き電開始前の時間帯に設定され、模擬試験が可能な時間帯である。解除時刻判定手段１３は、例えばＰＣ等により実現される。
【００２３】
次に、本実施の形態の動作について説明する。以下では、図１および図２を参照して受電用遮断器２の模擬処理を例に説明する。図２は、受電用遮断器２の動作を模擬して機能試験を行う際の処理のフローチャートである。
【００２４】
図２において、まず、電鉄用変電所監視制御装置７では、設定手段８により受電用遮断器２が模擬機器として選択され（Ｓ１）、設定手段８は、制御処理手段９および模擬処理手段１０にそれぞれ模擬処理開始を通知する。具体的には、設定手段８は、機器選択信号を制御処理手段９および模擬処理手段１０へそれぞれ出力する。
【００２５】
次に、設定手段８は、模擬機器の選択状態（情報信号）を中央指令所６へ通知する（Ｓ２）。すなわち、設定手段８は、模擬機器として受電用遮断器２が選択されたことを通知する信号を中央指令所６に送信する。この信号は、制御処理手段９、入出力処理手段１１を経由して中央指令所６へ送信される。
【００２６】
一方、中央指令所６では、設定手段８から模擬機器の選択状態を報せる信号を受信すると、解除時刻判定手段１３がその受信時の時刻が模擬設定可能時間帯内であるかどうかを判定する（Ｓ３）。判定の結果、模擬設定可能時間帯外である場合は（Ｓ３，Ｎｏ）、解除時刻判定手段１３は、模擬試験設定を解除する解除指令信号を生成し（Ｓ１４）、この解除指令信号を設定手段８へ送信する。解除指令信号を受信した設定手段８は、制御処理手段９および模擬処理手段１０へそれぞれ模擬試験の設定解除を通知する信号を出力し、模擬試験を終了する（Ｓ１５）。また、判定の結果、模擬設定可能時間帯内である場合は（Ｓ３，Ｙｅｓ）、Ｓ４の処理に進む。
【００２７】
次に、電鉄用変電所監視制御装置７では、設定手段８により模擬処理手段１０に受電用遮断器２の動作時間が設定される（Ｓ４）。そして、中央指令所６は、受電用遮断器２に対する投入指令の制御指令信号を出力し（Ｓ５）、この制御指令信号が入出力処理手段１１を介して制御処理手段９に入力される。なお、入出力処理手段１１は受電用遮断器２，中央指令所６等とのインターフェース部で、例えば「中央指令所６の指令により受電用遮断器２の状態が変化した」というように、変化した情報を制御処理手段９に通知する。
【００２８】
つづいて、制御処理手段９は、設定手段８から模擬処理の通知を受けているので、模擬処理手段１０に制御実行信号を出力する。模擬処理手段１０に制御実行信号が入力されると、模擬処理手段１０は、設定された受電用遮断器２の動作時間後に受電用遮断器２の動作状態を示す状態信号を出力する（Ｓ６）。
【００２９】
次に、模擬処理手段１０から出力された状態信号が制御処理手段９に入力されると、制御処理手段９は、この状態信号を、入出力処理手段１１を介して中央指令所６に伝達する（Ｓ７）。すなわち、制御処理手段９は、模擬結果を中央指令所６に伝達する。
【００３０】
また、Ｓ３の処理につづいて、設定手段８により受電用遮断器２が動作しないように設定すると（Ｓ１６）、模擬処理手段１０は制御処理手段９からの制御指令に対して動作しないように設定される。あるいはまた、Ｓ３の処理につづいて、設定手段８により断路器３、保護装置４および変電所内機器５の動作接点を模擬することができる（Ｓ１７）。
【００３１】
上記Ｓ７の処理後に、中央指令所６では、制御処理手段９から模擬結果を報せる信号を受信すると、解除時刻判定手段１３がその受信時の時刻が模擬設定可能時間帯内であるかどうかを判定する（Ｓ８）。すなわち、解除時刻判定手段１３は、模擬処理後に模擬設定可能時間が経過したか否かを判定する。判定の結果、受信時の時刻が模擬設定可能時間帯外である場合は（Ｓ８，Ｎｏ）、解除時刻判定手段１３は、模擬試験設定を解除する解除指令信号を生成し（Ｓ１４）、この解除指令信号を設定手段８へ送信する。そして、解除指令信号を受信した設定手段８は、制御処理手段９および模擬処理手段１０へそれぞれ模擬試験の設定解除を通知する信号を出力し、模擬試験を終了する（Ｓ１５）。また、判定の結果、受信時の時刻が模擬設定可能時間帯内である場合は（Ｓ８，Ｙｅｓ）、解除時刻判定手段１３は、模擬設定可能時間帯を終了するまでの「残り時間」を算出し、この「残り時間」を設定手段８に通知する（Ｓ９）。
【００３２】
次に、設定手段８は、新たな入力データがあるか否かを判定する（Ｓ１０）。すなわち、設定手段８は、次の模擬処理を行うための待ち状態にあり、所定の時間、入力データの有無を判定する。判定の結果、入力データがない場合は（Ｓ１０，Ｎｏ）、設定手段８は、制御処理手段９および模擬処理手段１０へそれぞれ模擬試験の設定解除を通知する信号を出力し、模擬試験を終了する（Ｓ１５）。
【００３３】
Ｓ１０にて判定の結果、入力データがある場合は（Ｓ１０，Ｙｅｓ）、設定手段８は、中央指令所６から送信された残り時間が第１の所定時間以下か否かを判定する（Ｓ１１）。ここで、第１の所定時間は、残り時間がこの第１の所定時間以下である場合には次の模擬処理を最後まで実施することができないことを示す閾値である。すなわち、残り時間がこの第１の所定時間より大きい場合には少なくとも次の模擬処理は最後まで実施することができる。判定の結果、残り時間がこの第１の所定時間以下である場合は（Ｓ１１，Ｙｅｓ）、設定手段８は、制御処理手段９および模擬処理手段１０へそれぞれ模擬試験の設定解除を通知する信号を出力し、模擬試験を終了する（Ｓ１５）。
【００３４】
一方、Ｓ１１にて判定の結果、残り時間がこの第１の所定時間より大きい場合は（Ｓ１１，Ｎｏ）、設定手段８は、さらに、残り時間が第２の所定時間以下か否かを判定する（Ｓ１２）。ここで、第２の所定時間は、残り時間がこの第２の所定時間以下である場合には次の模擬処理を最後まで実施することはできるものの、残り時間が少ないことを示す閾値である。第２の所定時間は、第１の所定時間よりも大きい。Ｓ１２にて判定の結果、残り時間がこの第２の所定時間以下である場合は（Ｓ１２，Ｙｅｓ）、設定手段８は、アラーム信号を生成し、電鉄用変電所監視制御装置７に設けられた例えば表示部（図示せず）にて残り時間が少ないことを報せるアラーム表示をする（Ｓ１３）。なお、アラーム表示の際に、音声でも同内容を報せることができる。Ｓ１３の処理後は、入力データに基づいて、例えば別の受電用遮断器に対してＳ１以降の処理を繰り返す。
【００３５】
一方、Ｓ１２にて判定の結果、残り時間がこの第２の所定時間より大きい場合は（Ｓ１２，Ｎｏ）、入力データに基づいて、例えば別の受電用遮断器に対してＳ１以降の処理を繰り返す。
【００３６】
本実施の形態では、中央指令所６の解除時刻判定手段１３にて予め模擬設定可能時間帯を設定しておき、解除時刻判定手段１３が模擬処理開始時（Ｓ３）および模擬処理終了時（Ｓ８）に、模擬設定可能時間帯を経過したか否かを判定し、模擬設定可能時間帯を経過した場合には、強制的に電鉄用変電所監視制御装置７の模擬設定状態を解除するようにしている。よって、本実施の形態によれば、模擬設定状態からの復帰漏れを防止することができる。特に、模擬試験時におけるケーブル接続作業等が省略された電鉄用変電所監視制御装置７において、外観からは模擬設定状態かどうかの判別が困難な場合でも、中央指令所６にて模擬試験時間が模擬設定可能時間帯に属するか否かを監視することにより、模擬設定状態からの復帰漏れを防止することができる。
【００３７】
また、本実施の形態では、中央指令所６にて模擬設定の解除時刻の判定を行うようにし、模擬設定可能時間帯を経過した場合には解除指令信号を出力するようにしたので、中央指令所６にて一括して模擬設定状態からの復帰漏れ防止を管理することができ、さらに、中央指令所６から発せられる他の制御指令信号との整合をとることも容易である。
【００３８】
また、本実施の形態では、模擬処理終了後、さらに入力データが存在する場合に、設定手段８が、残り時間が第１の所定時間以下か否かを判定するようにしている。これにより、次の模擬処理の途中で時間切れとなる状況を回避することができる。さらに、本実施の形態では、設定手段８が、残り時間が第２の所定時間以下か否かを判定し、第２の所定時間以下の場合にはアラーム表示をするようにしているので、作業者は残り時間が少ないことを事前に認識することができる。
【００３９】
なお、図２に示した処理は一例であって、種々の変形が可能である。例えば、Ｓ３の判定処理を行う一方で、Ｓ８の判定処理を省略することも可能である。また、例えば、Ｓ１２、Ｓ１３等の処理を省略し、アラーム表示を行わない態様なども可能である。
【００４０】
また、本実施の形態では、解除時刻設定手段１３を中央指令所６に設けたが、解除時刻設定手段１３を電鉄用変電所１内、たとえば電鉄用変電所監視制御装置７に設けてもよい。この場合には、ネットワーク２１を経由する必要がないので、システムが簡素化できるとともに、ネットワーク２１のトラブル（通信不能等）の影響を受けることがない。
【産業上の利用可能性】
【００４１】
本発明は、電鉄用変電所監視制御装置を備えた電鉄用変電所監視制御システムに好適である。
【符号の説明】
【００４２】
１     電鉄用変電所
２     受電用遮断器
３     断路器
４     保護装置
５     変電所内機器
６     中央指令所
７     電鉄用変電所監視制御装置
８     設定手段
９     制御処理手段
１０   模擬処理手段
１１   入出力処理手段
１３   解除時刻判定手段
２１   ネットワーク
２２〜２４    伝送路
【図１】
0005455827.tif 000002
【図２】
0005455827.tif 000003